(57)【要約】      （修正有）【課題】筐体を把持した片手で読み取り作業が容易に実施可能な構成を提供する。【解決手段】筐体１１の表面１１ａに配置される表示画面２４ａに対するタッチ操作を検出するタッチパネル２４と、筐体１１の表面１１ａに対して表示画面２４ａよりも読取口１２に近くなる位置に配置されるキー操作部３０と、が設けられる。読取口１２を情報コードに向けるように筐体１１を片手で把持した場合に、把持した手の親指は読取口１２に向かうように位置しているため、読取口１２から離れた位置に配置される表示画面２４ａを大きくしても、読取口１２に近くなる位置に配置されるキー操作部が把持した手の親指で操作しやすい位置に位置する。【選択図】図４
2019067180.tif 000002
【特許請求の範囲】
【請求項１】
筐体と、
前記筐体に収容されて、前記筐体の長手方向一端側に形成される読取口を介して情報コードを読取る読取部と、
前記筐体の一面に配置される表示画面に対するタッチ操作を検出するタッチパネルと、
前記筐体の一面に対して前記表示画面よりも前記読取口に近くなる位置に配置されるキー操作部と、
前記タッチパネルにより検出される前記タッチ操作及び前記キー操作部に対する入力操作に応じた処理を行うための処理部と、
を備えることを特徴とする携帯型情報読取装置。
【請求項２】
前記キー操作部は、複数のキーを備え、
前記複数のキーは、前記筐体の長手方向他端側に位置する所定の基準点を同心とした複数の円弧上にそれぞれ位置するように配置されることを特徴とする請求項１に記載の携帯型情報読取装置。
【請求項３】
前記キー操作部は、複数のキーを備え、
前記複数のキーのうち使用頻度の高い２以上のキーが、他のキーに対して前記表示画面側であって、前記筐体の長手方向他端側に位置する所定の基準点を中心とした円弧上にそれぞれ位置するように配置されることを特徴とする請求項１に記載の携帯型情報読取装置。
【請求項４】
前記処理部は、前記キー操作部に対して所定の操作がなされると、前記タッチパネルにより検出される前記タッチ操作に応じた処理を所定時間行わないことを特徴とする請求項１〜３のいずれか一項に記載の携帯型情報読取装置。
【発明の詳細な説明】
【技術分野】
【０００１】
本発明は、携帯型情報読取装置に関するものである。
【背景技術】
【０００２】
従来、携帯型の情報読取装置のように外部から情報を読み取って処理する携帯端末には、片手操作での操作性向上が強く求められており、この要求は、タッチパネル付表示画面が設けられる携帯端末であっても同様である。このようなタッチパネル付表示画面が設けられる携帯端末に関する技術として、例えば、下記特許文献１に開示される携帯端末装置が知られている。この携帯端末装置には、タッチパネル付き表示素子と、その縦長表示画面において選択可能な複数のオブジェクトを含む表示情報のうち、最上部に配置される最上部オブジェクトを表示画面の下方までスクロールしたのち固定可能な下スクロール手段とが設けられている。これにより、従来では指が届かないオブジェクトでも指が届くようになり、片手操作での操作性を向上させている。
【先行技術文献】
【特許文献】
【０００３】
【特許文献１】特開２０１４−００２７１０号公報
【発明の概要】
【発明が解決しようとする課題】
【０００４】
ところで、筐体の表面に大きなタッチパネル付表示画面が設けられる携帯型の情報読取装置を使用して、バーコードやＱＲコード（登録商標）などの情報コードを読み取るニーズが高まってきている。このようなニーズに応える情報読取装置としては、情報コードからの反射光を筐体内部の受光部に受光させるための読取口を筐体に設ける必要がある。さらに、軍手等を装着した状態で読み取り作業を行うことも考慮して、表示画面と同じ表面に読み取り時に操作される複数のボタン式のキー操作部を設ける必要がある。
【０００５】
しかしながら、キー操作部が設けられる位置によっては、読取口を情報コードに向けるように筐体を片手で把持した場合に、把持した手の親指で操作し難い位置にキー操作部が位置してしまう場合がある。表示画面をできるだけ大きくしたいという要望があるため、キー操作部を自由に配置できないからである。そうすると、把持していない手の指でキー操作部を操作することもできるが、読み取り作業に両手が必要となり、読み取り作業可能な状況が制限されてしまい、読み取り作業性が悪くなるという問題がある。
【０００６】
本発明は、上述した課題を解決するためになされたものであり、その目的とするところは、筐体を把持した片手で読み取り作業が容易に実施可能な構成を提供することにある。
【課題を解決するための手段】
【０００７】
上記目的を達成するため、特許請求の範囲の請求項１に記載の携帯型情報読取装置（１０）は、
筐体（１１）と、
前記筐体に収容されて、前記筐体の長手方向一端側に形成される読取口（１２）を介して情報コードを読取る読取部（２１，２３）と、
前記筐体の一面（１１ａ）に配置される表示画面（２４ａ）に対するタッチ操作を検出するタッチパネル（２４）と、
前記筐体の一面に対して前記表示画面よりも前記読取口に近くなる位置に配置されるキー操作部（３０，３０ａ）と、
前記タッチパネルにより検出される前記タッチ操作及び前記キー操作部に対する入力操作に応じた処理を行うための処理部（２１）と、
を備えることを特徴とする。
なお、上記各括弧内の符号は、後述する実施形態に記載の具体的手段との対応関係を示すものである。
【発明の効果】
【０００８】
請求項１の発明では、筐体の一面に配置される表示画面に対するタッチ操作を検出するタッチパネルと、筐体の一面に対して表示画面よりも読取口に近くなる位置に配置されるキー操作部と、が設けられている。これにより、読取口を情報コードに向けるように筐体を片手で把持した場合に、把持した手の親指は読取口に向かうように位置しているため、読取口から離れた位置に配置される表示画面を大きくしても、読取口に近くなる位置に配置されるキー操作部が把持した手の親指で操作しやすい位置に位置することとなる。したがって、筐体を把持した片手で読み取り作業が容易に実施可能な携帯型情報読取装置を実現することができる。
【０００９】
請求項２の発明では、キー操作部の複数のキーは、筐体の長手方向他端側に位置する所定の基準点を同心とした複数の円弧上にそれぞれ位置するように配置される。筐体を片手で把持した状態でのその片手の親指の可動範囲は、上記所定の基準点を中心とした円弧に沿いやすくなるので、把持した手の親指で複数のキーを押しやすくすることができる。
【００１０】
請求項３の発明では、キー操作部の複数のキーのうち使用頻度の高い２以上のキーは、他のキーに対して表示画面側であって、筐体の長手方向他端側に位置する所定の基準点を中心とした円弧上にそれぞれ位置するように配置される。筐体を片手で把持した状態でのその片手の親指の可動範囲は、上記所定の基準点を中心とした円弧に沿いやすくなるので、把持した手の親指で使用頻度の高い各キーを押しやすくすることができる。
【００１１】
請求項４の発明では、処理部は、キー操作部に対して所定の操作がなされると、タッチパネルにより検出されるタッチ操作に応じた処理を所定時間行わないため、キー操作時におけるタッチパネルへの誤入力操作を防止することができる。
【図面の簡単な説明】
【００１２】
【図１】第１実施形態に係る情報読取装置を示す平面図である。
【図２】図１の情報読取装置の背面図である。
【図３】図１の情報読取装置の電気的構成を概略的に例示するブロック図である。
【図４】情報読取装置を片手で把持した状態を示す説明図である。
【図５】第１実施形態の変形例に係る情報読取装置を示す平面図である。
【発明を実施するための形態】
【００１３】
［第１実施形態］
以下、本発明の第１実施形態に係る情報読取装置について、図面を参照して説明する。
図１及び図２等に示す情報読取装置１０は、ユーザが片手で把持して操作する携帯型情報読取装置であって、略矩形の平板状（薄肉の略直方体状）の筐体１１により外郭が構成されている。この情報読取装置１０は、バーコードやＱＲコードなどの情報コードを光学的に読み取る情報コード読取装置として機能し、筐体１１の裏面１１ｂであって当該筐体１１の長手方向一端側（図１及び図２の上側）に、情報コードからの反射光を筐体１１内に取り込むための読取口１２が形成されている。そして、筐体１１の表面１１ａには、長手方向一端側に複数のキーが配置され、長手方向他端側（図１及び図２の下側）に矩形状の表示画面２４ａが配置されている。なお、筐体１１の表面１１ａは、「筐体の一面」の一例に相当し得る。
【００１４】
この情報読取装置１０は、図３に示すように、ＣＰＵ等を備えてなる制御部２１、ＲＯＭ，ＲＡＭ、不揮発性メモリなどからなる記憶部２２、ＣＣＤエリアセンサなどの固体撮像素子からなる受光部２３、タッチパネル２４、各種操作キーによって構成されるキー操作部３０、外部機器（図示略）と通信するための通信インタフェースとして構成される通信部２５などを備えている。
【００１５】
受光部２３は、読取口１２を介して筐体１１内に入射し結像レンズ（図示略）にて集光される光をその受光面にて受光可能となるように、筐体１１内に収容されている。制御部２１は、読取処理を行うことで、受光部２３による受光結果に応じて撮像された情報コードの画像からその情報コードをデコード（解読）し、受光部２３とともに、当該情報コードに記録された情報を読み取る読取部として機能する。
【００１６】
タッチパネル２４は、公知のタッチパネル型の表示装置として構成されており、液晶表示器等の公知の表示デバイスとして構成される表示部と、この表示部の表示画面２４ａを覆う透明性の操作パネルとを備えている。このタッチパネル２４は、制御部２１によって表示部の表示内容が制御され、操作パネル（表示画面２４ａ）に対するタッチ操作を検出してそのタッチ操作に応じた操作信号を制御部２１に出力することで入力部として機能するように構成されている。
【００１７】
キー操作部３０は、タッチパネル２４へのタッチ操作と異なり物理的な押圧操作が必要な物理キーとして、ボタン式の複数のキー、具体的には、３つのファンクションキー３１〜３３と、テンキー３４とを備え、それらの入力操作に応じた操作信号を制御部２１に出力するように構成されている。第１ファンクションキー３１は、読取処理を開始する際に操作されるトリガーキーとして機能する使用頻度の高いキーであり、テンキー３４を構成する各キーよりも使用頻度の高い第２ファンクションキー３２及び第３ファンクションキー３３とともに、テンキー３４と表示画面２４ａとの間にて配置されている。各ファンクションキー３１〜３３は、トリガーキーとしての機能等、読取処理に関して所定の機能を有するファンクションキーとして構成され、テンキー３４を構成する各キーよりも大きなキー形状となるようにそれぞれ形成されている。
【００１８】
特に、図１に示すように、本実施形態では、各ファンクションキー３１〜３３は、筐体１１の長手方向他端側に位置する所定の基準点Ｐを中心とした円弧Ｓ１上にそれぞれ位置するように配置されている。このため、各ファンクションキー３１〜３３は、円弧Ｓ１に沿って長くなるように形成されている。また、テンキー３４も同様に、上記所定の基準点Ｐを同心とした複数の円弧Ｓ２〜Ｓ４上にそれぞれ位置するように配置されている。
【００１９】
このように、筐体１１の表面１１ａには、読取口１２に近くなる長手方向一端側にキー操作部３０が配置され、読取口１２から遠くなる長手方向他端側に表示画面２４ａが配置され、制御部２１は、タッチパネル２４により検出されるタッチ操作及びキー操作部３０に対する入力操作に応じた処理を行うための処理部として機能する。
【００２０】
上述のように構成される情報読取装置１０では、筐体１１の表面１１ａに配置される表示画面２４ａに対するタッチ操作を検出するタッチパネル２４と、筐体１１の表面１１ａに対して表示画面２４ａよりも読取口１２に近くなる位置に配置されるキー操作部３０と、が設けられていることとなる。これにより、図４に示すように、読取口１２を情報コードＣに向けるように筐体１１を片手で把持した場合に、把持した手の親指は読取口１２に向かうように位置しているため、読取口１２から離れた位置に配置される表示画面２４ａを大きくしても、読取口１２に近くなる位置に配置されるキー操作部３０が把持した手の親指で操作しやすい位置に位置することとなる。したがって、筐体１１を把持した片手で読み取り作業が容易に実施可能な携帯型情報読取装置を実現することができる。
【００２１】
特に、キー操作部３０の複数のキーは、筐体１１の長手方向他端側に位置する所定の基準点Ｐを同心とした複数の円弧Ｓ１〜Ｓ４上にそれぞれ位置するように配置される。筐体１１を片手で把持した状態でのその片手の親指の可動範囲は、上記所定の基準点Ｐを中心とした円弧Ｓ１〜Ｓ４に沿いやすくなるので、把持した手の親指で複数のキーを押しやすくすることができる。
【００２２】
なお、上記所定の基準点Ｐは、筐体１１の長手方向に沿い表示画面２４ａの中心を通る直線Ｌ上に位置するように設定されているが、これに限らず、筐体１１を把持する手の親指の位置に合わせて図１に示す位置からずらした位置に設定されてもよい。また、各円弧Ｓ１〜Ｓ４の中心は、上記所定の基準点Ｐにて一致するように設定されることに限らず、例えば、円弧ごとに筐体１１の長手方向に沿ってずれるように設定されてもよい。
【００２３】
また、キー操作部３０は、全てのキーがいずれかの円弧上に位置するように配置されることに限らず、一部のキーのみがいずれかの円弧上に位置するように配置されてもよい。例えば、図５に例示するキー操作部３０ａのように、各キーが格子状に配置されるテンキー３４ａに対して、表示画面２４ａ側に位置する３つのファンクションキー３１〜３３のみが、筐体１１の長手方向他端側に位置する所定の基準点Ｐを中心とした円弧Ｓ１上にそれぞれ位置するように配置されてもよい。このようにしても、筐体１１を片手で把持した状態でのその片手の親指の可動範囲は、上記所定の基準点Ｐを中心とした円弧に沿いやすくなるので、把持した手の親指で使用頻度の高い各ファンクションキー３１〜３３を押しやすくすることができる。なお、ファンクションキー３１〜３３は、「使用頻度の高い２以上のキー」の一例に相当し、テンキー３４ａは、「他のキー」の一例に相当し得る。
【００２４】
なお、本発明は上記実施形態に限定されるものではなく、例えば、以下のように具体化してもよい。
（１）制御部２１は、キー操作部３０に対して所定の操作がなされると、タッチパネル２４により検出されるタッチ操作に応じた処理を所定時間行わないようにしてもよい。これにより、キー操作部３０のキー操作時におけるタッチパネル２４への誤入力操作を防止することができる。
【００２５】
（２）読取口１２は、図２等に示すような裏面１１ｂの位置に設けられることに限らず、裏面１１ｂのうち他の長手方向一端側となる位置に設けられてもよい。また、読取口１２は、裏面１１ｂと表面１１ａとの双方に連なる長手方向一端側の端面に設けられてもよいし、上記長手方向一端側の端面から裏面１１ｂにかけて設けられてもよいし、上記長手方向一端側の端面から表面１１ａにかけて設けられてもよい。
【符号の説明】
【００２６】
１０…情報読取装置（携帯型情報読取装置）
１１…筐体
１１ａ…表面（一面）
１２…読取口
２１…制御部（読取部，処理部）
２３…受光部（読取部）
２４…タッチパネル
２４ａ…表示画面
３０，３０ａ…キー操作部
【図１】
2019067180.tif 000003
【図２】
2019067180.tif 000004
【図３】
2019067180.tif 000005
【図４】
2019067180.tif 000006
【図５】
2019067180.tif 000007